(57)【要約】本発明は節水効果を有する撒水板と節水装置及びゲル充填部を備えたシャワー装置に関する。特にシャワー装置が水平状態やヘッド部分がホースの連結部分より低い状態でも給水されるように開閉ボールを押して流路を開放するための係止ボタンを備え、内部流路の面積を出水孔の面積より大きくすることで、開閉ボールによる出水孔の開閉を確実にするシャワー装置に関する。またシャワーヘッドを通じて撒水される水に含まれた錆粉などの異物をフィルター部を通じて除去できるようにし、異物より大きく撒水孔を形成することで異物によって撒水孔が詰まることを防止するとともに、撒水板の中央部の外側に複数個形成される撒水部と、撒水板の周縁に形成される撒水孔からの水が使用者の皮膚に均等に噴射されるようにしてシャワー効果を向上させ、三角形の撒水孔から撒水する水が撒水孔を通過するとき摩擦を生じながら噴射されるようにしマイナスイオンが増加する効果を有するシャワー装置に関する。
2009501050.tif 000002
【特許請求の範囲】
【請求項１】
外部から水が供給される胴体と、前記胴体と連通して水を外部に排出する撒水板が取り付けられるシャワーヘッド本体とからなるシャワー装置において、
前記シャワーヘッド本体は、これとネジ結合するように内周面にネジ部が形成される結合部材の下側に凸部が形成されて、中央部分に一部及びこの周縁に多角形状の撒水孔が複数個形成される撒水部が形成され、前記撒水部の外側に前記撒水孔と同じ大きさの撒水孔が形成される撒水板が設置され、前記撒水板の後方には異物などにより撒水孔が詰まることを防止するため、微細メッシュ部からなるフィルター部がゴムリングを介在して設置されている構成を有することを特徴とするシャワー装置。
【請求項２】
前記シャワー装置の水が供給される下部側には水を節水するための節水装置がさらに設置されており、
前記節水装置は、円筒形状を有して内部の中段に形成された隔壁の中央に出水孔が形成され、前記出水孔の一側の側壁を貫通して押圧部材の挿入孔が形成されており、前記押圧部材の挿入孔が形成される部分の外周面に所定の高さの段を有するように突出したボタン挿入部が形成されている胴体と、
前記胴体の内部に設置される一側端部が閉鎖された円筒形状を有し、外周面には１つ以上の流路が長手方向に形成され、開放された端部の一側には押圧部材の挿入溝が形成されるボールケースと、
前記ボールケースの内部に移動可能に設置され、前記胴体に形成された出水孔を開閉する開閉ボールと、
前記胴体の押圧部材の挿入孔に挿入されて設置され、前記開閉ボールを押して出水孔を開放する押圧傾斜カラーが形成されたボール押圧部材と、
前記胴体に形成されたボタン挿入部の内部にスプリングにより弾性的に支持されるように設置され、前記ボール押圧部材を押す主ボタンと、
前記胴体のボールケースが挿入される部分の端部に設置される連結部材とを備えて構成されることを特徴とする請求項１に記載のシャワー装置。
【請求項３】
前記胴体に形成された出水孔とボールケースの外壁に形成された流路の面積比は１：１〜１：１０であり、前記ボールケースは、開放端部側の内径が閉鎖端部側の外径より１ｍｍ〜３ｍｍ大きく形成され、開閉ボールの直径は、前記ボールケースの小さな直径より０．１ｍｍ〜１ｍｍ小さく形成されることを特徴とする請求項２に記載のシャワー装置。
【請求項４】
前記主ボタンの一側には前記主ボタンに形成されたガイド溝にガイド凸部が挿入されて側方に移動可能に係止ボタンがさらに設置され、前記胴体に形成されたボタン挿入部の前記係止ボタンの一側端部に形成された係止凸部と対向する部分には係止孔が貫通して形成されていることを特徴とする請求項２に記載のシャワー装置。
【請求項５】
前記胴体の出水孔の開閉ボールが対向する面には溝が形成され、前記溝には弾性に優れたゴムなどからなる水漏れ防止板がさらに設置されていることを特徴とする請求項２に記載のシャワー装置。
【請求項６】
前記胴体に形成された押圧部材の挿入孔にはボール押圧部材の柱部と押圧部材の挿入孔の間に水漏れが発生することを防止するためのリテーナがさらに設置されていることを特徴とする請求項２に記載のシャワー装置。
【請求項７】
前記シャワー装置の一側には、外部から供給される水に前記アロマ成分が溶解されて甘い香りと体に良い成分が均一な濃度で一定に供給するためのゲル充填部が形成され、
前記ゲル充填部は、内部に収納空間が形成され、前記シャワー装置内に流れる水と接触する部分に循環孔が貫通するように形成されるケースと、前記ケースの内部に設置されるフィルター部材とを備えて構成されることを特徴とする請求項１に記載のシャワー装置。
【請求項８】
前記フィルター部材は、前記ケース内部の収納空間を溶解室と内容物の収納室とに分けるように設置され、前記溶解室は、循環孔の内側に位置するように設置され、前記内容物の収納室は、この内部に漢方材料、香料、ビタミン（アロマ成分）を含んで構成される水溶性ゲルが充填されていることを特徴とする請求項７に記載のシャワー装置。
【請求項９】
前記フィルター部材は、フィルター膜と前記フィルター膜を固定する支持フレームで構成されることを特徴とする請求項７に記載のシャワー装置。
【請求項１０】
前記循環孔は、内側に行くほど大きさが狭くなるように形成されることを特徴とする請求項７〜請求項９のいずれか一項に記載のシャワー装置。
【請求項１１】
前記ケースは、循環孔が形成される面と接する一側面が水の流れを円滑にするために湾曲した水ガイド傾斜路として形成されることを特徴とする請求項７〜請求項９のいずれか一項に記載のシャワー装置。
【発明の詳細な説明】
【技術分野】
【０００１】
本発明は、節水効果を有する撒水板と節水装置、及びゲル充填部を備えたシャワー装置に関する。より詳細には、シャワー装置が水平状態であるときや、ヘッド部分がホースの連結部分よりも低い状態でも給水されるように、開閉ボールを押して流路を開放するための係止ボタンを備え、内部に形成されている流路の面積を出水孔の面積より充分大きく形成することで、開閉ボールによる出水孔の開閉が確実に行われるようにしたシャワー装置に関するものである。
【０００２】
また、シャワーヘッドを通じて撒水される水に含まれている錆などの異物などをフィルター部を通じて簡単に除去できるようにし、さらに、異物よりやや大きく撒水孔を形成することで、異物によって撒水孔が詰まることを予め防止するとともに、前記撒水板の中央部より中央部の外側に複数個形成された撒水部と、撒水板の周縁に形成された撒水孔から撒水される水が使用者の皮膚に均等に噴射されるようにしてシャワー効果をより向上させることができる。特に、三角形の撒水孔から撒水される水が前記三角形の撒水孔を通過するとき摩擦を生じながら噴射されるようにし、マイナスイオンを発生させる効果を有するシャワー装置に関する。
【０００３】
また、シャワー装置内に挿入されるゲル充填部のケース内部にアロマ成分が含まれたゲルを装着し、外部本体から供給される水に前記アロマ成分を溶解させて、甘い香りや体に良い成分を一定の濃度で一定の期間供給することができるシャワー装置に関する。
【背景技術】
【０００４】
急速な産業発展の副作用である環境汚染と、過度な水使用による水資源の不足が現実化しつつある。
【０００５】
このような水不足現象を克服するための方策として様々な政策や規制が導入されており、節水のための手段が開発されて普及されている。
【０００６】
特に、家庭で主に使用されるシャワー装置や水道栓に取り付けて、シャワーするとき水の無駄な使用を減らすための節水装置が開発されて使用されている。
【０００７】
従来、水道栓とシャワー装置を選択して使用する場合、シャワー装置の使用中に水を使わないときはレバーを回して水が出ないようにしていたが、レバーが使用位置から離れているので不便であり、水を止めないでそのまま使用するので水の使用量が増加するという短所があった。そこで、最近では、水の使用量を制御して断水することができる装置が提案されている。しかし、これらは構造が複雑で値段が高価であるという問題点がある。
【０００８】
このような節水装置にはは、シャワー装置に取り付け、使用するときグリップを押すと水が供給され、使用しないときは、グリップを離すと断水されて水が供給されないように動作するものがある。しかし、このような節水装置は、シャワー装置の全体構造を変更しなければならないという問題点がある。
【０００９】
このような問題点を解決するために、どのシャワー装置にも取り付けて使用可能で、シャワー装置を置いた状態によって断水されるシャワー装置用節水装置が本発明の出願人により出願され、韓国特許公告第１０−２７８８２２号公報として２００１年１月１５日付で公告された。
【００１０】
しかし、前記本発明の出願人により開発された節水装置は、シャワーヘッドが水平状態であったり、シャワーヘッドがホースの連結部分より低い状態であるときは断水されるが、使用者が持続的に使用しようとするときも給水されず不便であった。すなわち、シャワー装置から持続的に給水を受けるために、シャワーヘッドを他の物に支持させてヘッドが上方を向くようにしなければならない。
【００１１】
また、内部に備えられたボールケースの外周面に形成された流路の面積が本体に形成された出水孔の面積と同じであるか類似して、ボールによる出水孔の開閉が円滑に行われないという問題点がある。
【００１２】
一方、最近、節水型シャワー装置と呼ばれるシャワーヘッドが知られており、これは日本公開特許平８−２６６９４０号公報に開示されている。すなわち、前記公報に開示されている節水型シャワーヘッドは、シャワーヘッド部の内部に、出口側の直径が拡大される形状の直径縮小部を設けて節水効果を図っている。しかし、このような別途の直径縮小部を設けるために特別な部品が必要となり、製造コストが増加するという問題点がある。
【００１３】
特に、シャワー水の使用量を減らす方法として、撒水孔の総開口面積を小さくするため撒水孔の数を減らしたり、あるいは各撒水孔の直径を小さくする方法があるが、単に撒水孔の数を少なくする場合、節水効果は得られるものの、シャワー水が分散する噴射効果が得られなくなる。
【００１４】
このため、使用者がシャワーをするとき、望むようにシャワーをすることができず、使用者が洗おうとする部分にあたる水量が少なくなり洗浄効果が低下するという短所があり、また、シャワーの使用時間が長くなり、節水という目的から遠くなる。
【００１５】
さらに、単に各撒水孔を小さくする場合、節水効果は得られても、噴射圧が高くなり、体に水が当たったとき痛みを感じるという問題点もある。
【００１６】
一方、空気中にはプラスイオン（ｐｌｕｓ ｉｏｎ）とマイナスイオン（ｍｉｎｕｓ ｉｏｎ）がバランスよく存在し、空気中のマイナスイオンが多い環境では、人間の作業能率、快適性、疲労度、治癒などに良い影響を与えることが知られており、このようなマイナスイオンは、滝の周辺で多く発生し、落下する水が粉砕されるときもマイナスイオンが発生する。
【００１７】
このように、周囲の空気中のマイナスイオンを増加させることをレナード効果（ｌｅｎａｒｄ ｅｆｆｅｃｔ）と称し、このようなレナード効果は、シャワー水からも同様に得られ、従来のシャワーヘッドを使用する場合にもマイナスイオンが発生する。
【００１８】
一方、上記のマイナスイオンの発生量を増加させると同時に、節水効果も得ることができる撒水板シャワーヘッドが韓国公開特許第２００４−００８８４６０号公報に開示されている。
【００１９】
しかし、このような従来の撒水板シャワーヘッドは、上述のように単に撒水孔の直径を小さくする場合、節水効果は得られるものの、使用者がシャワー効果をあまり感じなくなり、このため撒水圧力を上昇させると、節水効果を得られないという問題点がある。
【００２０】
また、前記撒水板の撒水孔は中央部位に集中して配置されて環状に形成されるため、使用者の体の中心にシャワー水が集中し、体の両側である腕と脚、腰などに少量のシャワー水だけが噴射されるので、使用者が左右に移動しながらシャワーしたり、シャワーヘッドを左右側に頻繁に動かすという不便がある。また、上記のような撒水板の撒水孔はエッチング工程で形成されるため、錆の発生及び配管の錆粉などにより詰まりやすいという問題点がある。
【発明の開示】
【発明が解決しようとする課題】
【００２１】
そこで、本発明は上記従来の問題点に鑑みてなされたものであって、本発明の第１の目的は、シャワー装置が水平状態であるときや、ヘッド部分がホースの連結部分よりも低い状態でも給水されるように、開閉ボールを押して流路を開放するための係止ボタンを備えたシャワー装置を提供することである。
【００２２】
また、内部に形成されている流路の面積を出水孔の面積より充分大きく形成することで、開閉ボールによる出水孔の開閉が堅固に行われるようにしたシャワー装置を提供することを目的とする。
【００２３】
また、本発明の第２の目的は、シャワーヘッドを通じて撒水される水に含まれた錆などの異物などをフィルター部を通じて簡単に除去することができるようにし、さらに、異物よりやや大きく撒水孔を形成することで、異物によって撒水孔が詰まることを予め防止するとともに、前記撒水板の中央部より中央部の外側に複数個形成された撒水部と、撒水板の周縁に形成された撒水孔から撒水される水が使用者の皮膚に均等に噴射されるようにしてシャワー効果をさらに向上させ、特に、三角形の撒水孔から撒水される水が前記三角形の撒水孔を通過するとき摩擦を生じながら噴射されるようにし、マイナスイオンを発生させる効果を有するシャワー装置を提供することである。
【００２４】
また、本発明の第３の目的は、シャワー装置内に挿入されるゲル充填部のケース内部にアロマ成分が含まれたゲルを装着し、外部胴体から供給される水に前記アロマ成分を溶解させて、甘い香りや体に良い成分を一定の濃度で一定の期間供給することができるシャワー装置を提供することである。
【課題を解決するための手段】
【００２５】
上記の目的を達成するための本発明は、次の特徴を有する。
【００２６】
上記第１の目的を達成するための本発明によるシャワー装置は、外部から水が供給される胴体と、前記胴体と連通して水を外部に排出する撒水板が取り付けられるシャワーヘッド本体とからなるシャワー装置において、前記シャワーヘッド本体は、これとネジ結合するように内周面にネジ部が形成される結合部材の下側に凸部が形成されて中央部位に一部及びこの周縁に多角形状の撒水孔が複数個形成される撒水部が形成され、前記撒水部の外側に前記撒水孔と同じ大きさの撒水孔が形成される撒水板が取り付けられ、前記撒水板の後方には異物などにより撒水孔が詰まることを防止するため、微細メッシュ部からなるフィルター部がゴムリングを介在して設けられている構成を有している。
【００２７】
また、本発明の第２の目的を達成するための本発明によるシャワー装置は、シャワー装置の水が供給される下部側には水を節水するための節水装置がさらに設けられ、前記節水装置は、円筒形状を有して内部の中段に形成された隔壁の中央に出水孔が形成され、前記出水孔の一側の側壁を貫通して押圧部材の挿入孔が形成されており、前記押圧部材の挿入孔が形成される部分の外周面に所定の高さの段を有するように突出したボタン挿入部が形成されている胴体と、前記胴体の内部に設けられる一側端部が閉鎖された円筒形状を有し、外周面には１つ以上の流路が長手方向に形成され、開放された端部の一側には押圧部材の挿入溝が形成されるボールケースと、前記ボールケースの内部に移動可能に設けられ、前記胴体に形成された出水孔を開閉する開閉ボールと、前記胴体の押圧部材の挿入孔に挿入されて設置され、前記開閉ボールを押して出水孔を開放する押圧傾斜カラーが形成されたボール押圧部材と、前記胴体に形成されたボタン挿入部の内部にスプリングにより弾性的に支持されるように設置され、前記ボール押圧部材を押す主ボタンと、前記胴体のボールケースが挿入される部分の端部に設置される連結部材とを備えて構成されている。
【００２８】
ここで、前記胴体に形成された出水孔とボールケースの外壁に形成された流路の面積比は１：１〜１：１０であり、前記ボールケースは、開放端部側の内径が閉鎖端部側の外径より１ｍｍ〜３ｍｍ大きく形成され、開閉ボールの直径は前記ボールケースの直径部分より０．１ｍｍ〜１ｍｍ小さく形成される。
【００２９】
また、前記主ボタンの一側には前記主ボタンに形成されたガイド溝にガイド凸部が挿入されて側方に移動可能に係止ボタンがさらに設置され、前記胴体に形成されたボタン挿入部の前記係止ボタンの一側端部に形成された係止凸部と対向する部分には係止孔が貫通して形成されている。
【００３０】
また、前記胴体の出水孔の開閉ボールが対向する面には溝が形成され、前記溝には弾性に優れたゴムなどからなる水漏れ防止板がさらに設置され、前記胴体に形成された押圧部材の挿入孔にはボール押圧部材の柱部と押圧部材の挿入孔の間に水漏れが発生することを防止するためのリテーナがさらに設置されている。
【００３１】
さらに、本発明の第３の目的を達成するためのシャワー装置は、前記シャワー装置の一側に外部から供給される水に前記アロマ成分が溶解されて甘い香りと体に良い成分が均一な濃度で一定に供給されるようにゲル充填部が形成されている。このゲル充填部は、内部に収納空間が形成され、前記シャワー装置内に流れる水と接触する部分に循環孔が貫通して形成されるケースと、前記ケースの内部に設置されるフィルター部材とを備えて構成されている。
【００３２】
ここで、前記フィルター部材は、前記ケース内部の収納空間を溶解室と内容物の収納室とに分けるように設置され、前記溶解室は、循環孔の内側に位置するように設置され、前記内容物の収納室は、この内部に漢方材料、香料、ビタミン（アロマ成分）を含んで構成される水溶性ゲルが充填される。
【００３３】
また、前記フィルター部材は、フィルター膜と前記フィルター膜を固定する支持フレームで構成され、前記循環孔は、内側に行くほど大きさが狭くなるように形成されることが好ましく、前記ケースは、循環孔が形成される面と接する一側面が水の流れを円滑にするために湾曲した水ガイド傾斜路として形成される。
【発明の効果】
【００３４】
このように構成された本発明の第１の実施例によるシャワー装置用節水装置は、係止ボタンを動作させて開閉ボールが出水孔を開放した状態を維持することで、シャワー装置が水平状態であるときや、ヘッド部分がホースの連結部分よりも低い状態でも給水が行われ、出水孔の面積より広い面積の流路を有するようにボールケースを形成することにより、開閉ボールが充分に出水孔を開閉することができるという効果がある。
【００３５】
また、本発明の第２の実施例によるシャワーヘッドの撒水板によれば、シャワーヘッドを通じて撒水される水に含まれる錆粉のような異物をフィルター部を通じて簡単に除去することができるようにし、これによって、撒水孔が詰まるようなことを予め防止するとともに、前記撒水板の中央部よりも中央部の外側に複数個形成された撒水部と、撒水板の周縁に形成された撒水孔により撒水される水が使用者の皮膚に均等に噴射されるようにして、シャワー効果をさらに向上させ、特に、三角形の撒水孔から撒水される水が前記三角形の撒水孔を通過するとき摩擦を生じながら噴射されるようにし、マイナスイオンが増加するという効果がある。
【００３６】
また、本発明の第３の実施例によるゲル充填部は、外部の胴体から供給される水に前記アロマ成分を溶解させて甘い香りと体に良い成分を提供し、シャワーや洗顔時に心身を穏やかにし、ストレス解消効果及び心理的な安定効果を得ることができ、さらに、前記循環孔とフィルター部材が設置された本発明のケースの作用により、使用者に一定の濃度で一定の期間中に前記アロマ成分が含まれた水を提供できるという効果がある。
【発明を実施するための最良の形態】
【００３７】
次に、本発明に係るシャワー装置を実施するための最良の形態の具体例を図面を参照しながら説明する。
【実施例１】
【００３８】
図１は、本発明の第１の実施例による節水装置の一例を示す組立斜視図である。図２は、本発明の第１の実施例による節水装置の一例を示す斜視図である。図３は、本発明の第１の実施例による節水装置に設置される流路開放ボタンの例を示す組立斜視図である。図４は、本発明の第１の実施例による節水装置における流路を閉鎖した状態を示す断面図である。図５は、本発明の第１の実施例による節水装置における流路を開放した状態を示す断面図である。図６は、本発明の第１の実施例による節水装置で使用されるボールケースとボールを示す断面図である。図７は、本発明の第１の実施例による節水装置がシャワー装置に設置された状態を示す斜視図である。
【００３９】
図示するように、本発明によるシャワー装置用節水装置は、円筒形状の胴体１０と、この内部に設置されたボールケース２７０と、開閉ボール２６０、及びボタン２４０を備えて構成されている。
【００４０】
前記胴体１０は、図１に示すように、円筒の一側の外部に楕円形のボタン係止凸部２１３を形成し、この内部の中段には壁を形成し、壁の中央を貫通して出水孔２１１が形成されている。
【００４１】
前記ボタン係止凸部２１３が形成された面の中央には、後述するボール押圧部材２２０が貫通して挿入される押圧部材の挿入孔２１２が形成されており、ボタン係止凸部２１３の一側を貫通して係止孔２１３ａが貫通して形成されている。
【００４２】
前記胴体１０の両端の内部面には、ネジ山が形成されており、後述する連結部材２９０とシャワー装置本体がネジ結合される。
【００４３】
また、前記胴体１０に形成される出水孔２１１のボールケース２７０が挿入される側の縁部には溝が形成され、この溝にはゴムのように収縮性が良い材質からなる水漏れ防止板２５０をさらに設置し、開閉ボール２６０により出水孔２１１がより堅固に閉鎖されるようにしている。
【００４４】
前記胴体１０の内部にはボールケース２７０が設置されている。
【００４５】
前記ボールケース２７０は、図１に示すように、円筒形状を有して一側端部は閉鎖され、外周面には複数の流路２７１が形成されており、開放された端部の前記胴体１０に形成された押圧部材の挿入孔２１２が形成された部分と対向する部分には押圧部材の挿入溝２７２が形成されている。
【００４６】
前記押圧部材の挿入溝２７２は、後述するボール押圧部材２２０が移動するための空間となる。
【００４７】
また、前記ボールケース２７０の閉鎖された端部の一側、すなわち、前記押圧部材の挿入溝２７２が形成される部分と対向する部分には、ボールケース２７０が胴体１０に挿入される方向を表示するための表示突起がさらに形成されている。
【００４８】
前記ボールケース２７０の内部には開閉ボール２６０が設置されている。
【００４９】
前記開閉ボール２６０は、胴体１０に形成される出水孔２１１を開閉するための手段であって、胴体１０が水平に横になったり、胴体１０に形成される出水孔２１１の高さが低くなる場合、前記開閉ボール２６０が出水孔２１１へ移動して出水孔２１１を閉鎖する。
【００５０】
前記胴体１０に形成される押圧部材の挿入孔２１２には出水孔２１１を塞ぐ開閉ボール２６０を押圧して出水孔２１１を開放するためのボール押圧部材２２０が設置されている。
【００５１】
前記出水孔２１１の開閉ボール２６０に向ける面の縁に溝を形成し、水漏れ防止板２５０をさらに設置することで、開閉ボール２６０による流路開閉効果を高めるようにしている。
【００５２】
前記水漏れ防止板２５０は、弾性に優れたゴムなどで形成される。
【００５３】
前記ボール押圧部材２２０は、前記押圧部材の挿入孔２１２と同一の内径を有する柱の一側端部に傾くように押圧傾斜カラー２２１を形成して構成されるもので、前記押圧傾斜カラー２２１は、胴体１０の内部に形成される出水孔２１１を前記端部に形成し、反対側の端部は胴体１０を貫通してボタン係止凸部２１３の内部空間に突出され、この端部に主ボタン２４０が固定されて設置される。
【００５４】
前記主ボタン２４０は、図１、図４及び図５に示すように、ボタン係止凸部２１３の内部空間に設置され、前記ボール押圧部材２２０の上端に固定されて設置される。
【００５５】
前記主ボタン２４０が押圧されると、ボール押圧部材２２０が胴体１０の内部に押され、ボール押圧部材２２０の内側端部に形成された押圧傾斜カラー２２１が開閉ボール２６０を押して胴体１０に形成される出水孔２１１から離隔されることにより、出水孔２１１が開放されて給水が行われる。
【００５６】
前記主ボタン２４０は、図３に示すように、一側に凸部を形成し、両縁にガイド凸部２４０ａを形成し、移動可能に係止ボタン２４１がさらに設置されるように構成されている。
【００５７】
前記係止ボタン２４１は、前記ボール押圧部材２２０が開閉ボール２６０を押圧して出水孔２１１が開放される状態を維持するための手段であって、図３に示すように、前記主ボタン２４０に形成されたガイド凸部２４０ａが挿入されて滑るガイド溝２４１ｂが形成され、一側端部には係止凸部２４１ａが形成されている。
【００５８】
前記係止ボタン２４１に形成される係止凸部２４１ａは、図５に示すように、胴体１０のボタン係止凸部２１３の一側に形成される係止孔２１３ａに挿入される。
【００５９】
前記係止ボタン２４１の動作は、まず主ボタン２４０を押してボール押圧部材２２０が開閉ボール２６０を押圧して開閉ボール２６０が出水孔２１１から離隔された状態になるようにし、係止ボタン２４１を係止孔２１３ａが形成された方向に押して係止孔２１３ａに係止ボタン２４１に形成された係止凸部２４１ａが挿入されるようにすれば、主ボタン２４０が押された状態で固定され、開閉ボール２６０が出水孔２１１から離隔された状態を維持するようにし、出水孔２１１が開放された状態を維持する。
【００６０】
前記胴体１０のボールケース２７０が挿入される部分の端部には連結部材２９０が設置され、反対側の端部にはシャワーヘッドが連結されている。
【００６１】
前記連結部材２９０は、シャワーホース（図示せず）が連結される部分である。
【００６２】
前記胴体１０に形成される出水孔２１１とボールケース２７０の外周面に長手方向に形成される流路２７１の面積比は、出水孔に対して流路が１：１〜１：１０の程度が好ましい。
【００６３】
すなわち、少なくとも出水孔２１１の面積より流路２７１の面積を広くすることで、流路２７１を介して出水孔２１１側に移動する水が充分な圧力を発生するようにし、開閉ボール２６０が出水孔２１１に密着して出水孔２１１を塞いでいる状態で少しの揺れが発生しても開閉ボール２６０が水圧により出水孔２１１を密閉することができるようになる。
【００６４】
しかし、流路２７１の面積が広すぎる場合は、流路２７１の間の凸部が狭くなってボールケース２７０の形状不良を生じ、また、開閉ボール２６０を押す水圧が高すぎて、シャワー装置を垂直に立てても開閉ボール２６０が出水孔２１１から分離されず、出水孔２１１を閉鎖した状態となるので、上記範囲の面積比率とすることが好ましい。
【００６５】
上記のような構成を有するシャワー装置用節水装置において、前記ボールケース２７０は、図６に示すように、開放端部側の内径が閉鎖端部側の外径より１〜３ｍｍ大きく形成され、閉鎖端部側から開放端部に向けて次第に低くなる勾配（ｒ）を有し、この勾配（ｒ）は約１°〜３°の範囲が好ましい。このように形成することで、節水装置が水平状態であっても開閉ボール２６０が自然に出水孔２１１側に転がって出水孔を密閉することができる。
【００６６】
また、前記開閉ボール２６０の直径は、前記ボールケース２７０の小さな直径部分の直径（Ｒ）より０．１ｍｍ〜１ｍｍ小さく形成され、開閉ボール２６０がボールケース２７０の内部に挿入されたとき、開閉ボール２６０とボールケース２７０の内部空間の間に隙間が殆どないように形成した。
【００６７】
前記開閉ボール２６０とボールケース２７０の内部空間の間の隙間が大きすぎると、ボールケース２７０の外周面に形成される流路２７１に沿って流入する水がボールケース２７０の内部に流入して、開閉ボール２６０を押して開閉ボール２６０が使用者の意思と無関係に出水孔２１１を塞いで断水するという問題が発生するので、上述のように、開閉ボール２６０とボールケース２７０の内部空間の間の隙間が最小になるように形成することが好ましい。
【実施例２】
【００６８】
図８は、本発明の第２の実施例による撒水板が設置されるシャワーヘッドの分解斜視図である。図９は、本発明の第２の実施例によるシャワーヘッドの内側にフィルター部を取り付けた状態を示す斜視図である。図１０は、本発明の第２の実施例による撒水板の拡大斜視図で、シャワーヘッドの本体１１０の下側に複数の撒水孔（１３０ａ、１３０ｂ）が形成される撒水板１２０が設置されている。
【００６９】
前記シャワーヘッドの本体１１０は、これとネジ結合するように内周面にネジ部１４０が形成される結合部材１５０の下側に凸部１６０が形成され、中央部分に一部及びこの周縁に三角形状の撒水孔１３０ａが複数個形成され、前記撒水部１７０の外側に前記撒水孔１３０ａと同一の大きさの撒水孔１３０ｂが形成される撒水板１２０が設置されている。
【００７０】
このとき、前記撒水板１２０の後方には異物などによる撒水孔の詰まり防止のために、微細メッシュからなるフィルター部１８０がゴムリング１９０を介在して形成される構成となっている。
【００７１】
次に、このような構成を有する本実施例の作用及び効果を説明する。
【００７２】
図８〜図１０に示すように、シャワーヘッドの本体１１０の下側には複数の撒水孔（１３０ａ、１３０ｂ）が形成される撒水板１２０が設置され、シャワーホースを通じて供給される水が前記シャワーヘッドの本体１１０の内部を通過して、撒水板１２０に形成される複数個の撒水孔（１３０ａ、１３０ｂ）を通じて分流された後、外部に放出される。
【００７３】
このとき、前記シャワーヘッドの本体１１０は、図８及び図９に示すように、シャワーヘッドの本体１１０とネジで結合されるように内周面にネジ部１４０が形成される結合部材１５０の下側に凸部１６０が形成され、また、前記凸部１６０には撒水板１２０が固定されるようにする。
【００７４】
前記撒水板１２０は、中央部分に一部の三角形状の撒水孔１３０ａが形成され、この周縁には三角形状の撒水孔１３０ａが複数個集まって形成される撒水部１７０が形成されている。また、前記撒水部１７０の外側周縁には、前記撒水孔１３０ａと同一の大きさの撒水孔１３０ｂを形成することで、前記撒水板１２０の撒水孔（１３０ａ、１３０ｂ）を通じて分流されて外部に放出される水が、使用者の正中央部分ではなく中央部分の周縁に集中噴射され、また、同一の大きさの撒水孔１３０ｂを通じて腕及び腰にも有効に噴射され、使用者の体に均等に噴射されるようにし、シャワー効果を向上させることができる。
【００７５】
特に、前記撒水孔（１３０ａ、１３０ｂ）を円形ではなく三角形に形成することにより、前記撒水板１２０の撒水孔（１３０ａ、１３０ｂ）を通じて分流される水は、撒水孔が円形であるときに比べて摩擦が増加し、三角形状に噴射される水は、凝集力により落下時に水玉が円形（水玉）状態を維持しながら空気中のマイナスイオンを吸収し、マイナスイオンが増加するという効果がある。
【００７６】
ここで、前記撒水孔（１３０ａ、１３０ｂ）は、四角形、五角形または六角形など、多角形状に形成することができる。
【００７７】
一方、通常異物の大きさは最大０．２ｍｍ〜０．３ｍｍであるので、前記撒水孔を形成する多角形の一辺の長さを０．４ｍｍ〜１．２ｍｍに形成することで、撒水板の撒水孔を詰まらせる異物の最大の大きさよりも撒水孔を大きくして、異物によって撒水孔が詰まることがないようにすることができる。
【００７８】
また、前記撒水板１２０の後方には異物などによって撒水孔が詰まることを防止するため、微細メッシュからなるフィルター部１８０がゴムリング１９０を介在して設置さられており、水が流入する配管などで発生する錆粉が前記シャワー水とともにシャワーヘッドの本体１１０に流入する場合、前記フィルター部で濾過して外部に噴射されるようにし、前記撒水板１２０の撒水孔（１３０ａ、１３０ｂ）が異物によって詰まることを防止する。さらに、前記フィルター部１８０は、ネジ式結合部材１５０を分解することで簡単に分解できるので掃除を行うことができる。
【００７９】
前記異物などによって撒水孔（１３０ａ、１３０ｂ）が詰まることを防止するため、撒水板１２０の後方に設置されるフィルター部１８０は、異物のフィルターとしての機能を向上させるために不織布などにより形成されることができる。
【実施例３】
【００８０】
図１１は、本発明の第３の実施例によるゲル充填部の全体斜視図であり、図１２は、本発明の第３の実施例によるケースの断面図である。
【００８１】
図示するように、本発明によるゲル充填部１００は、胴体１０の一側に設置され、この内部に収納空間が形成され、前記胴体１０内に流れる水と接触する部分に循環孔２０が貫通して形成されるケース３０と、前記ケース３０の内部に設けられるフィルター部材を備えて構成されている。
【００８２】
すなわち、本発明は、循環孔２０が形成されたケース３０の内部にフィルター部材が設置されている。
【００８３】
また、本発明のケース３０は、図１６に示すように、内容物の収納が可能であるように一面が開口の密閉構造となり、前記開口部を密閉するケースカバー３４を有し、前記ケース３０の内部の一側に設置され、半透過性のフィルターが取り付けられるフィルター部材によりケース内部が２部分に分割されて、溶解室５０と内容物の収納室６０とに分割されることが好ましい。
【００８４】
また、前記ケースカバー３４は、前記ケース３０の開口部と締結されて密閉されるように形成され、この一側に胴体１０に締結される固定突起３３を形成することができる。
【００８５】
図１３は、本発明の第３の実施例による支持フレームの斜視図である。図１４は、本発明の第３の実施例によるフィルター部材の斜視図である。図１５は、本発明の第３の実施例によるフィルター部材の断面図である。図１６は、本発明の第３の実施例によるゲル充填部の使用状態を示す断面図である。
【００８６】
図示するように、本発明の前記フィルター部材は、フィルター膜４１と、前記フィルター膜４１を固定する支持フレームとで構成されている。
【００８７】
また、前記フィルター部材は、前記ケース３０の内部の収納空間を溶解室５０と内容物の収納室６０とに分割するように設置され、前記溶解室５０は、前記循環孔２０の内側に位置するようにし、前記内容物の収納室６０は、この内部に漢方材料、香料、ビタミン（アロマ成分）を含有する水溶性ゲルが充填されていることを特徴とする。
【００８８】
ここで、前記水溶性ゲルは、単一成分のアロマ成分で形成してもよい。
【００８９】
また、前記支持フレーム４２は押出成型により形成され、この一側に前記ケース３０の結束突起３１に締結される結束溝４３が形成され、前記フィルター膜４１は、不織布またはメッシュ構造の部材で形成されることが好ましい。
【００９０】
図１６は、本発明の第３の実施例によるゲル充填部の使用状態を示す断面図である。図１７は、図１６Ａの詳細図である。図１８は、本発明の第３実施例によるゲル充填部が内部に装着されたシャワー装置を示す図である。
【００９１】
図示するように、本発明の前記循環孔２０は、流れる水の方向と接触する一側部に前記ケース３０の内部と外部が貫通するように設置され、内側に行くほど大きさが小さくなるように形成することが好ましい。
【００９２】
本発明の動作原理は、外部の胴体１０から流入する水が、前記ケース３０上部の外周面に沿って流れ、このとき、水は、ベルヌーイの定理により前記ケース３０に設置された循環孔２０を介して溶解室５０に流入し、溶解室内で乱流及び渦流を起こす。また、溶解室に流入した水は、前記フィルタ膜４１を通過して内容物の収納室６０に流入して水溶性ゲルを溶解させる。このようにして、水溶性ゲルの漢方材料、香料、ビタミン（アロマ成分）が溶解されている溶液は、前記フィルター膜４１を通じて再び溶解室５０に流出し、溶解室内で乱流及び渦流の作用によって均一濃度に混合されて、水流出口から外部に排出される。
【図面の簡単な説明】
【００９３】
【図１】本発明の第１の実施例による節水装置の一例を示す組立斜視図。
【図２】本発明の第１の実施例による節水装置の一例を示す斜視図。
【図３】本発明の第１の実施例による節水装置に設置される流路開放ボタンの例を示す組立斜視図。
【図４】本発明の第１の実施例による節水装置における流路を閉鎖した状態を示す断面図。
【図５】本発明の第１の実施例による節水装置における流路を開放した状態を示す断面図。
【図６】本発明の第１の実施例による節水装置で使用されるボールケースとボールを示す断面図。
【図７】本発明の第１の実施例による節水装置がシャワー装置に設置された状態を示す斜視図。
【図８】本発明の第２の実施例による撒水板が設置されるシャワーヘッドの分解斜視図。
【図９】本発明の第２の実施例によるシャワーヘッドの内側にフィルター部を取り付けた状態を示す斜視図。
【図１０】本発明の第２の実施例による撒水板の拡大斜視図。
【図１１】本発明の第３の実施例によるゲル充填部の斜視図。
【図１２】本発明の第３の実施例によるケースの断面図。
【図１３】本発明の第３の実施例による支持フレームの斜視図。
【図１４】本発明の第３の実施例によるフィルター部材の斜視図。
【図１５】本発明の第３の実施例によるフィルター部材の断面図。
【図１６】本発明の第３の実施例によるゲル充填部の使用状態を示す断面図。
【図１７】図１６Ａ部の詳細図。
【図１８】本発明の第３の実施例によるゲル充填部が内部に装着されたシャワー装置を示す図。
【符号の説明】
【００９４】
１０  胴体
２０  循環孔
３０  ケース
３１  結束突起
３３  固定突起
３４  ケースカバー
４１  フィルター膜
４２  支持フレーム
４３  結束溝
５０  溶解室
６０  収納室
１００  ゲル充填部
１１０  本体
１２０  撒水板
１３０ａ  撒水孔
１３０ｂ  撒水孔
１４０  ネジ部
１５０  結合部材
１６０  凸部
１７０  撒水部
１８０  フィルター部
１９０  ゴムリング
２１１  出水孔
２１２  挿入孔
２１３  ボタン係止凸部
２１３ａ  係止孔
２２０  ボール押圧部材
２２１  押圧傾斜カラー
２４０  ボタン
２４０ａ  ガイド凸部
２４１  係止ボタン
２４１ａ  係止凸部
２４１ｂ  ガイド溝
２５０  防止板
２６０  開閉ボール
２７０  ボールケース
２７１  流路
２７２  挿入溝
２９０  連結部材
【図１】
2009501050.tif 000003
【図２】
2009501050.tif 000004
【図３】
2009501050.tif 000005
【図４】
2009501050.tif 000006
【図５】
2009501050.tif 000007
【図６】
2009501050.tif 000008
【図７】
2009501050.tif 000009
【図８】
2009501050.tif 000010
【図９】
2009501050.tif 000011
【図１０】
2009501050.tif 000012
【図１１】
2009501050.tif 000013
【図１２】
2009501050.tif 000014
【図１３】
2009501050.tif 000015
【図１４】
2009501050.tif 000016
【図１５】
2009501050.tif 000017
【図１６】
2009501050.tif 000018
【図１７】
2009501050.tif 000019
【図１８】
2009501050.tif 000020
【国際調査報告】
2009501050.tif 000021
2009501050.tif 000022